(57)【要約】【課題】末端の燃焼設備における独立した制御体制の下、簡単な構成で精度よく燃料ガスと空気とを混合し、完全燃焼させることができ、かつ、必要な加熱能力を安定して得る。【解決手段】均圧弁方式では、所定の空気比に設定された後、燃焼条件に基づいて空気量が変更されると、空気供給配管の圧力Ｐａと、ガス供給配管の圧力Ｐｇとが、均圧弁によって均一の圧力に調整され、所定の空気比が保たれる。ＷＩが変動した場合、所定の空気比が変わるため、ガス供給配管に質量流量計３０を設けて、質量流量を計測する。質量流量と理論空気流量とは多項式での相関関係があるため、当該相関関係の特性図を予め記憶しておき、ＷＩが変動したときの空気比を読み出し、現在の空気比との差分に応じて、ガス供給配管の流量を調整する。【選択図】図１
2020143831.tif 000002
【特許請求の範囲】
【請求項１】
第１配管に案内されて流動する燃料ガスの流量を調整する第１流量調整弁、第２配管に案内されて流動する空気の流量を調整する第２流量調整弁、前記第１流量調整弁及び前記第２流量調整弁の開度に依存する混合比を維持するために圧力及び流量の少なくとも一方を監視しかつ調整する調整部、を備えた燃焼設備に用いられ、当該燃焼設備の燃焼状態を制御する燃焼制御装置であって、
前記第１配管に設けられ、前記燃料ガスの燃焼性指標と相関関係を持つ質量流量を取得する取得部と、
前記取得部で取得した前記燃料ガスの質量流量から前記燃料ガスの燃焼性指標に対応する理論空気流量を抽出し、当該理論空気流量に基づいて、前記混合比を補正する補正部と、
を有する燃焼制御装置。
【請求項２】
前記補正部が、前記質量流量と前記理論空気流量との相関情報を記憶する記憶部を備え、
前記補正部が、前記記憶部に記憶された相関情報に基づいて、前記取得部で取得した燃料ガスの質量流量から理論空気流量を抽出し、当該抽出した理論空気流量に基づき、前記混合比を補正することを特徴とする請求項１記載の燃焼制御装置。
【請求項３】
前記取得部が、前記第１配管に取り付けられた質量流量計から、直接、前記燃料ガスの質量流量を取得することを特徴とする請求項１又は請求項２記載の燃焼制御装置。
【請求項４】
前記取得部が、前記第１配管に取り付けられた体積流量計で検出した体積流量と、前記第１配管に取り付けられた密度計で検出した密度と、から前記燃料ガスの質量流量を取得することを特徴とする請求項１又は請求項２記載の燃焼制御装置。
【請求項５】
前記調整部が、前記第１配管と前記第２配管との圧力を一定に保持する均圧弁を備え、前記燃料ガスと前記空気との圧力差に起因する混合比の変動を抑制する均圧弁方式が適用され、
前記補正部は、前記調整部による調整とは独立して、前記混合比を補正することを特徴とする請求項１から請求項４の何れか１項記載の燃焼制御装置。
【請求項６】
前記調整部が、前記燃料ガスの流量と、前記空気の流量とを個別に計測し、前記燃料ガスと前記空気との流量差に起因する混合比の変動を抑制するカスケード方式が適用され、
前記燃料ガスの質量流量を計測することで、前記調整部による混合比の調整に、前記補正部による補正を反映させることを特徴とする請求項１から請求項４の何れか１項記載の燃焼制御装置。
【請求項７】
コンピュータを、
請求項１〜請求項６の何れか１項記載の燃焼制御装置として動作させる、
燃焼制御プログラム。
【発明の詳細な説明】
【技術分野】
【０００１】
本発明は、ガスの性状等に起因する発熱量の変動に関わらず、安定した燃焼状態を維持し得る燃焼制御装置、燃焼制御プログラムに関するものである。
【背景技術】
【０００２】
所謂都市ガスは、ウォッベ指数（以下、ＷＩという）、及び燃焼速度指数（以下、ＭＣＰという）の少なくとも一方（以下、ＷＩ及びＭＣＰという）に基づいて、１４種類のガス種に分類され、供給業者は、特定したガス種のガスを供給域内の需要家に対して供給している。
【０００３】
需要家へ供給するガスは、ＷＩ及びＭＣＰが、ガス種の範囲になるように成分組成を調整する。特に、ＷＩが重要視されるので、以下では、ＷＩに特化して説明する。
【０００４】
一般に燃焼機器は、予め定められた発熱量やＷＩとなる成分組成の燃料ガスが供給されることが好ましく、このときに熱効率や燃焼状態が最適となるように設計及び運転調整されている。従って、燃焼機器において安定した燃焼を実現するためには供給ガスの発熱量やＷＩの変動はできるだけ小さい方が好ましい。
【０００５】
近年、例えば、ガス導管が設置されていない地域における都市ガス（都市ガス１３Ａ等）の需要増加に伴い、液化天然ガス（以下、ＬＮＧという）サテライト基地が建設されている。
【０００６】
ＬＮＧサテライト基地は、ＬＮＧ貯槽（ＬＮＧタンク）と、気化器を備えた設備である。ＬＮＧ供給業者は、ＬＮＧローリー車等の輸送手段でＬＮＧを輸送して、一旦ＬＮＧタンクに貯蔵する。ＬＮＧタンクに貯蔵されたＬＮＧは、気化器によって気化し、気化されたガスが工業団地や住宅等に供給される。
【０００７】
このようなＬＮＧサテライト供給システムでは、気化器の稼働状況や気化処理負荷の変動等に伴う供給ガスの成分組成変動による発熱量及びＷＩの変動が起こる場合がある。
【０００８】
このため、調整ガス（例えば、増熱用としてプロパンガス、希釈用として空気）を用いて、供給ガスのＷＩを最適な値、例えば、適正な燃焼が可能な許容範囲の中間値となるように制御する技術が提案されている（特許文献１参照）。
【０００９】
需要家先においては、ある一定のＷＩに制御された燃料ガスを供給し、当該需要家の各熱設備において、必要熱出力に見合うように燃料ガス流量及び燃焼用空気流量を調整して使用することが最も好ましい利用形態となる。
【００１０】
なお、ＷＩを含む組成変動抑制に関する参考として、特許文献２には、バーナへ燃焼用空気を供給するファンとバーナへのガス燃料を供給する燃料供給路とを備え、燃料供給路にはＷＩ測定器、及びガス流量調整弁が設けられ、ＷＩ測定器で測定されたガス燃料のＷＩに基づいてガス流量調整弁の開度を調整して、バーナへの供給熱量を所望に維持することが記載されている。
【００１１】
また、燃料ガスの成分の取得に関する参考として、特許文献３及び特許文献４には、質量流量計等から得られる燃料ガスの流量から、成分を取得することが記載されている。
【００１２】
各特許文献の概要を整理すると、以下のようになる。
【００１３】
（１）特許文献１
【００１４】
調整ガス（増熱用、希釈用）を用いて、供給ガスのＷＩを最適な値、例えば、適正な燃焼が可能な許容範囲の中間値となるように制御する。
【００１５】
（２）特許文献２
【００１６】
ＷＩ測定器を用いた燃焼設備末端でのガス流量を調整する。
【００１７】
（３）特許文献３
【００１８】
質量流量計を用いて、末端の燃焼設備へ供給する前の段階で、燃料ガスの質量流量を計測して、増熱用燃料ガスの流量を調整する。
【００１９】
（４）特許文献４
【００２０】
ガス導管網における各所で、熱式質量流量計等を用いて燃料ガスの流量を計測してガス成分を取得し、末端の燃焼設備に情報を送信して、燃料ガスの圧力を調整する。
【先行技術文献】
【特許文献】
【００２１】
【特許文献１】特開２０１６−１９１０２４号公報
【特許文献２】特開２０１３−９２３１５号公報
【特許文献３】特開２０１２−４１８５１号公報
【特許文献４】特開２００２−１４７７５２号公報
【発明の概要】
【発明が解決しようとする課題】
【００２２】
特許文献１は燃料ガスの性状の変動を抑制して、発熱量を安定させるには有用であるが、設備として増熱用のプロパンガスの準備とその配管設備、並びに、希釈用の空気の発生源としてブロワ等と、その配管設備が必要となる。
【００２３】
このような配管設備は、例えば、多少の発熱量の変動があっても、完全燃焼し、かつ、所用の加熱出力（または、加熱入力）が得られればよい設備への導入には過剰な品質となる場合がある。
【００２４】
また、特許文献２では、燃料ガスの性状に基づいて流量を調整する場合に、ＷＩを直接測定する必要があるが、ＷＩ測定器自体が複雑な構造であり、例えば、ＬＮＧを原料に気化して燃料ガスを生成する生成工場から細分化されて供給される末端のガス設備のそれぞれに取り付けて発熱量の変動を把握する測定器としては、設備投資としての観点からも不向きである。
【００２５】
さらに、特許文献３は、質量流量計を用いて燃料ガスの質量流量を計測する技術であるが、供給元での供給ガスの発熱量やＷＩの変動を調整（増熱）するものであり、供給元から変動が調整されない状態で供給される燃料ガスと空気とを混合して燃焼する末端設備（燃焼設備）における空気比を調整するものではない。
【００２６】
また、特許文献４では、複数種類の供給ガスが共有される配管における集中管理制御となっており、末端の全ての燃焼設備が集中管理されることが前提であり、現実的ではない。
【００２７】
本発明は上記事実を考慮し、末端の燃焼設備における独立した制御体制の下、簡単な構成で精度よく燃料ガスと空気とを混合し、完全燃焼させることができ、かつ、必要な加熱能力を安定して得ることができる燃焼制御装置、燃焼制御プログラムを得ることが目的である。
【課題を解決するための手段】
【００２８】
本発明に係る燃焼制御装置は、第１配管に案内されて流動する燃料ガスの流量を調整する第１流量調整弁、第２配管に案内されて流動する空気の流量を調整する第２流量調整弁、前記第１流量調整弁及び前記第２流量調整弁の開度に依存する混合比を維持するために圧力及び流量の少なくとも一方を監視しかつ調整する調整部、を備えた燃焼設備に用いられ、当該燃焼設備の燃焼状態を制御する燃焼制御装置であって、前記第１配管に設けられ、前記燃料ガスの燃焼性指標と相関関係を持つ質量流量を取得する取得部と、前記取得部で取得した前記燃料ガスの質量流量から前記燃料ガスの燃焼性指標に対応する理論空気流量を抽出し、当該理論空気流量に基づいて、前記混合比を補正する補正部と、を有している。
【００２９】
本発明によれば、燃焼設備は、第１流量調整弁と第２流量調整弁とを備えており、この第１流量調整弁と第２流量調整弁との開度に依存して、燃料ガスと空気との混合比が設定される。調整部は、混合比を維持するために圧力及び流量の少なくとも一方を監視しかつ調整する。
【００３０】
ここで、燃料ガスは、基本的には、一定の燃焼性指標（例えば、ＷＩ）を維持することが前提で混合比が設定されるが、供給元の燃料ガス自体の燃焼性指標が変動する場合がある。
【００３１】
そこで、取得部では、燃料ガスの質量流量を取得し、補正部では、取得部で取得した前記燃料ガスの質量流量から取得した燃料ガスの燃焼性指標と相関のある理論空気流量に基づいて、前記混合比を補正する。
【００３２】
すなわち、質量流量と燃焼性指標とは相関関係があり、かつ、燃焼性指標と理論空気流量との間にも相関関係があるため、質量流量が判れば、理論空気流量を抽出することができる。この理論空気流量に応じて、混合比を補正することで、適正な燃焼状態を維持することができる。
【００３３】
本発明において、前記補正部が、前記質量流量と前記理論空気流量との相関情報を記憶する記憶部を備え、前記補正部が、前記記憶部に記憶された相関情報に基づいて、前記取得部で取得した燃料ガスの質量流量から理論空気流量を抽出し、当該抽出した理論空気流量に基づき、前記混合比を補正することを特徴としている。
【００３４】
予め記憶部に、質量流量と前記理論空気流量との相関情報を記憶しておくことで、質量流量から理論空気流量を抽出するまでの制御負担を、その都度、理論空気流量を演算によって得るよりも、軽減することができる。
【００３５】
本発明において、前記取得部が、前記第１配管に取り付けられた質量流量計から、直接、前記燃料ガスの質量流量を取得することを特徴としている。
【００３６】
第１配管に質量流量計を取り付けることで、燃料ガスの質量流量を直接的に取得することできる。
【００３７】
本発明において、前記取得部が、前記第１配管に取り付けられた体積流量計で検出した体積流量と、前記第１配管に取り付けられた密度計で検出した密度と、から前記燃料ガスの質量流量を取得することを特徴としている。
【００３８】
第１配管に体積流量計と、密度計とを取り付けることで、体積流量と密度とから燃料ガスの質量流量を間接的に取得することができる。
【００３９】
本発明において、前記調整部が、前記第１配管と前記第２配管との圧力を一定に保持する均圧弁を備え、前記燃料ガスと前記空気との圧力差に起因する混合比の変動を抑制する均圧弁方式が適用され、前記補正部は、前記調整部による調整とは独立して、或いは、前記調整部による調整に反映させて、前記混合比を補正することを特徴としている。
【００４０】
調整部は、均圧弁方式が適用可能である。均圧弁方式は、第１配管と第２配管との圧力を一定に保持する均圧弁を備え、燃料ガスと空気との圧力差に起因する混合比の変動を抑制する方式であり、機械的に混合比を維持することができる。
【００４１】
均圧弁方式によれば、補正部は、調整部による調整とは独立して、前記混合比を補正することもできるし、調整部による混合比の調整に、補正部による補正を反映させることもできる。
【００４２】
本発明において、前記調整部が、前記燃料ガスの流量と、前記空気の流量とを個別に計測し、前記燃料ガスと前記空気との流量差に起因する混合比の変動を抑制するカスケード方式が適用され、前記燃料ガスの質量流量を計測することで、前記調整部による混合比の調整に、前記補正部による補正を反映させることを特徴としている。
【００４３】
調整部は、カスケード方式が適用可能である。カスケード方式は、燃料ガスの流量と、空気の流量とを個別に計測し、燃料ガスと空気との流量差に起因する混合比の変動を抑制する方式であり、機械的に混合比を維持することができる。
【００４４】
ここで、燃料ガスの質量流量を計測することで、調整部による混合比の調整に、補正部による補正を反映させることができる。
【００４５】
本発明に係る燃焼制御プログラムは、コンピュータを、燃焼制御装置として動作させることを特徴としている。
【発明の効果】
【００４６】
以上説明した如く本発明では、末端の燃焼設備における独立した制御体制の下、簡単な構成で精度よく燃料ガスと空気とを混合し、完全燃焼させることができ、かつ、必要な加熱能力を安定して得ることができる。
【図面の簡単な説明】
【００４７】
【図１】本実施の形態に係る、均圧弁方式（圧力制御）が採用された燃焼設備の概略図である。
【図２】本実施の形態に適用される都市ガスのＭＣＰ−ＷＩ特性図である。
【図３】本実施の形態に係る空気比制御コントローラの制御ブロック図である。
【図４】（Ａ）空気比制御コントローラに搭載された大規模記憶装置の正面図、（Ｂ）大規模記憶装置に記憶された、密度−総発熱量及び密度−理論空気量関係特性図、（Ｃ）大規模記憶装置に記憶された、質量流量−燃焼量（又は加熱量）及び理論空気流量関係特性図である。
【図５】（Ａ）は本実施の形態の燃焼設備による燃焼運転作業手順を示すフロー図、（Ｂ）は、質量流量に基づく空気比制御のための制御フローチャートである。
【図６】変形例に係る、均圧弁方式（流量制御）が採用された燃焼設備の概略図である。
【図７】変形例に係る、カスケード方式（流量制御）が採用された燃焼設備の概略図である。
【発明を実施するための形態】
【００４８】
図１には、都市ガスが供給される燃焼設備１０が示されている。
【００４９】
まず、都市ガスについて詳細を述べる。
【００５０】
都市ガスは、ウォッベ指数（以下、ＷＩという）、及び燃焼速度指数（以下、ＭＣＰという）に基づいて、１４種類のガス種に分類され、供給業者は、特定したガス種のガスを供給域内の需要家に対して供給している。
【００５１】
ＷＩは、（１）式で表され、ガスの総発熱量Ｈ（ＭＪ／Ｎｍ３）をガスの空気に対する比重ｓの平方根で割った数値である。また、ＭＣＰは（２）式で表される。
【００５２】
【数１】
2020143831.tif 000003
【００５３】
ここで、
ＷＩ:ウォッベ指数
Ｈ：ガスの総発熱量Ｈ（ＭＪ／Ｎｍ３）
ｓ：ガス比重（空気＝１）
ＭＣＰ：燃焼速度指数
Ｓｉ：成分ｉの燃焼速度
ｆｉ：成分ｉに関わる係数
Ａｉ：ガス中の成分ｉの体積百分率
Ｋ：減衰係数
である。
【００５４】
一例として、メタン（ＣＨ４）を主成分とするガス種（都市ガス１３Ａという）は、ＷＩの範囲として、５２．７≦ＷＩ≦５７．２と定められ、ＭＣＰの範囲として、３５≦ＭＣＰ≦４７と定められている（図２参照）。
【００５５】
図２は、検討用に例として想定した７種類（供給ガスＡ〜供給ガスＧ：いずれも都市ガス１３Ａグループに属する）のガスの燃焼性指標（ＷＩ、ＭＣＰ）を示したものである。
【００５６】
需要家へ供給するガスは、ＷＩ及びＭＣＰが、上記した都市ガス１３Ａのガス種の範囲になるように成分組成が調整され、燃焼設備１０（図１参照）へ供給される。
【００５７】
図１に示される如く、燃焼設備１０は、燃焼器１２によって燃料ガスを燃焼させる設備である。燃焼設備１０としては、ガスタービン、ガスエンジン、又は工業炉等が挙げられる。図１では、単一の燃焼設備１０を示しているが、複数の燃焼設備１０であってもよい。また、１つの燃焼設備１０に複数の燃焼器１２を具備するようにしてもよい。
【００５８】
本実施の形態の燃焼設備１０は、均圧弁方式が採用された流量調整機能を備えており、燃料ガスの圧力と、燃焼用空気の圧力とを機械的に相関させて、燃料ガスと空気とを予め定めた混合比で燃焼器１２に供給する構成となっている。
【００５９】
燃焼器１２には、上流側から燃料ガス（例えば、都市ガス１３Ａ）を導入するための燃料ガス供給配管１４と、一端部が燃焼用空気を供給するブロワ１６に接続された空気供給配管１８が接続されている。
【００６０】
燃料ガス供給配管１４には、上流側から順に、一対の安全遮断弁２０Ａ、２０Ｂ、均圧弁２２、燃料ガス側混合比調整弁２４が介在されている。
【００６１】
安全遮断弁２０Ａ、２０Ｂは、緊急時に自動的に燃料ガスの供給を遮断する役目を有し、燃料ガス側混合比調整弁２４は、予め定めた燃焼用空気との混合比に調整した開度で固定される。
【００６２】
また、空気供給配管１８には、上流側から順に、流量調整弁２６、燃焼用空気側混合比調整弁２８が介在されている。
【００６３】
流量調整弁２６は、ブロワ１６からの空気流量を安定供給する役目を有し、燃焼用空気側混合比調整弁２８は、予め定めた燃料ガスとの混合比に調整した開度で固定される。
【００６４】
ここで、燃料ガス供給配管１４の均圧弁２２は、ダイヤフラム部２２Ａを備えており、ダイヤフラム部２２Ａの膜体の一方（図１では、下側）が燃料ガス供給配管１４に連通され、他方（図１では上側）が空気供給配管１８に連通している。
【００６５】
このため、均圧弁２２の弁体２２Ｂの開度は、空気供給配管１８の圧力に基づいて変更され、燃料ガスの圧力（圧力計Ｐｇで計測される圧力）と、燃焼用空気の圧力（圧力計Ｐａで計測される圧力）とが一定に保たれるようになっている。この結果、燃料ガス側混合比調整弁２４と、燃焼用空気側混合比調整弁２８とにより調整された空気比が、圧力変化により変動されることが抑制され、ほぼ一定の空気比で燃焼器１２へ供給することができる。
【００６６】
ここで、本実施の形態では、燃料ガス供給配管１４における、一対の安全遮断弁２０Ａ、２０Ｂと、均圧弁２２との間に、質量流量計３０が介在されている。
【００６７】
質量流量計３０は、空気比調整制御部３２に接続され、燃料ガスの質量流量値を空気比調整制御部３２へ送出する。
【００６８】
図３に示される如く、空気比調整制御部３２は、マイクロコンピュータ３４を備えており、マイクロコピュータ３４は、ＣＰＵ３４Ａ、ＲＡＭ３４Ｂ、ＲＯＭ３４Ｃ、入出力ポート（Ｉ／Ｏ）３４Ｄ、及びこれらを接続するデータバスやコントロールバス等のバス３４Ｅで構成されている。
【００６９】
Ｉ／Ｏ３４Ｄには、入力系デバイスとして、前記質量流量計３０が接続されることに加え、空気供給配管１８の流量を計測する空気体積流量計３６が接続される。
【００７０】
また、Ｉ／Ｏ３４Ｄには、出力系デバイスとして、流量調整装置３８を介して、流量調整弁４０が接続されている。
【００７１】
流量調整弁４０は、燃料ガス供給配管１４の均圧弁２２と燃料ガス側混合比調整弁２４との間に設けられている（図１参照）。
【００７２】
さらに、Ｉ／Ｏ３４Ｄには、大規模記憶装置４２が接続されている。
【００７３】
空気比調整制御部３２は、予め記憶された空気比調整制御プログラムにより、質量流量計３０で計測した質量流量をＷＩに換算し、換算したＷＩの情報に基づき、流量調整弁４０を制御して、現在のＷＩにおける適正な空気比とする。
【００７４】
なお、密度と、総発熱量及び理論空気量との間には、図４（Ｂ）に示されるような相関関係があることが分かっている。このため、質量流量と、燃焼量（又は加熱量）及び理論空気流量との間に、図４（Ｃ）に示されるような相関関係を導き出すことができる。
【００７５】
従って、図４（Ｂ）及び（Ｃ）の関係を、図４（Ａ）に示される如く、空気比調整制御部３２に設けられた大規模記憶装置４２に記憶しておくことで、燃料ガスの質量流量が判れば、当該燃料ガスのＷＩを取得することができる。
【００７６】
また、取得したＷＩによって、理論空気流量を得ることができる。
【００７７】
以下に、本実施の形態の作用を説明する。
【００７８】
まず、図５（Ａ）に従い、均圧弁方式が適用された燃焼設備１０の燃焼運転作業手順を示す。この燃焼運転作業手順は、オペレータの手作業を含む。
【００７９】
手順１では、供給される燃料ガスの燃焼性指標による理論空気流量と燃焼条件とに基づき、基準となる混合比（基準混合比）を設定する。
【００８０】
手順２では、空気供給配管１８の燃焼用空気側混合比調整弁２８、及び燃料ガス供給配管１４の燃料ガス側混合比調整弁２４の各空気比設定弁の開度を設定する。
【００８１】
手順３では、燃焼量（燃焼炉温度設定値等）に基づき、混合された燃焼用のガスの流量を調整する。
【００８２】
手順４では、燃焼器１２から出力される燃焼用のガスを着火することで、燃焼が開始される。
【００８３】
手順５では、燃焼器１２を消火して燃焼を終了させる。
【００８４】
ここで、手順４と手順５との間、すなわち、燃焼器１２の燃焼中において（図５（Ａ）に示す点線枠参照）、燃焼量の変更があると、均圧弁２２の均圧機能に依存して、自動的に燃料ガス及び空気の流量調整が実行される。
【００８５】
ところで、上記手順１〜手順６に基づく、燃焼器１２の燃焼処理は、燃料ガスの燃焼性指標（以下、ＷＩに言及する場合がある。）が一定であることが前提となっている。
【００８６】
言い換えれば、燃焼性指標が変動すると、燃焼量（加熱量）が変化する。しかし、均圧弁方式の流量制御では、最初に設定された混合比（基準混合比）に基づいて、圧力が制御され流量が維持されるため、目的の燃焼量（加熱量）を維持できなくなる場合がある。
【００８７】
そこで、本実施の形態では、燃料ガス供給配管１４に、質量流量計３０を取り付け、空気比調整制御部３２では、この質量流量計３０の検出値に基づいて、目的の燃焼量（加熱量）を維持するために燃料ガスの流量を制御し、空気比（混合比）を補正するようにした（空気比制御）。
【００８８】
図５（Ｂ）は、空気比調整制御部３２で実行される、質量流量に基づく、空気比制御のためのフローチャートである。
【００８９】
燃焼設備の全体を監視する空気比調整制御部３２において、燃焼が開始に基づき実行指示があると（ステップ１００の肯定判定）、ステップ１０２へ移行して、空気供給配管１８内の空気の流量を計測し、次いで、ステップ１０４へ移行して、燃料ガス供給配管１４内の燃料ガスの質量流量を計測して、ステップ１０６へ移行する。なお、ステップ１００で否定判定された場合は、このルーチンは終了する。
【００９０】
ステップ１０６では、質量流量と、総発熱量及び理論空気量との相関特性図（図４（Ｂ）の特性Ａ及び（Ｃ）の特性Ｂ参照）を読み出し、次いで、ステップ１０８へ移行して、相関特性図に基づいて、現在のＷＩでの適正な混合比を導出し、ステップ１１０へ移行する。
【００９１】
ステップ１１０では、燃料ガス供給配管１４の流量を、流量調整弁４０で調整して、混合比を補正し、ステップ１１２へ移行する。
【００９２】
ステップ１１２では、燃焼終了等により、実行終了指示があったか否かを判断し、否定判定された場合は、ステップ１０２へ戻り、上記工程を繰り返す。また、ステップ１１２で肯定判定された場合は、このルーチンは終了する。
【００９３】
なお、本実施の形態では、燃料ガス供給配管１４を流動する燃料ガスの流量を調整したが、空気供給配管１８を流れる空気の流量を調整するようにしてもよい。
【００９４】
本実施形態によれば、均圧弁方式では、所定の空気比に設定された後、燃焼条件に基づいて空気量が変更されると、空気供給配管の圧力Ｐａと、ガス供給配管の圧力Ｐｇとが、均圧弁によって均一の圧力に調整され、所定の空気比が保たれる。ＷＩが変動した場合、所定の空気比が変わるため、ガス供給配管に質量流量計３０を設けて、質量流量を計測する。
【００９５】
質量流量と理論空気流量とは多項式での相関関係があるため、当該相関関係の特性図を予め記憶しておき、ＷＩが変動したときの空気比を読み出し、現在の空気比との差分に応じて、ガス供給配管の流量を調整する。
【００９６】
なお、本実施の形態では、取得部として直接的に質量流量を計測する質量流量計３０を燃料ガス供給配管１４に取り付けたが、体積流量計と密度計とを取り付けて、空気比調整制御部３２において、体積流量と密度とに基づいて、間接的に質量流量を換算するようにしてもよい。
【００９７】
（変形例１）
【００９８】
本実施の形態では、燃焼設備１０が均圧弁方式を採用し、均圧弁２２による圧力調整とは別に、燃料ガス供給配管１４を流動する燃料ガスの流量を調整（空気流量の調整でもよい）するようにしたが、同じ均圧弁方式において、均圧弁２２の圧力調整後に、ＷＩの変動分を反映させるようにしてもよい。
【００９９】
図６は、変形例１に係る燃焼設備１０Ａの概略構成図である。図１の燃焼設備１０と同一構成部分には、同一の符号を付して、その構成の説明を省略する。
【０１００】
図６では、均圧弁２２の下流側に、別途圧力調整弁５０を設け、空気比調整制御部３２によって制御される出力系デバイスとして適用する。
【０１０１】
すなわち、空気比調整制御部３２では、質量流量計３０から取り込んだ質量流量に基づいて、図４（Ｂ）及び（Ｃ）の相関特性図に基づいて、現在のＷＩでの適正な混合比を導出し、均圧弁２２によって調整された燃料ガスの圧力を、さらに圧力調整弁５０によって調整することで燃料ガス流量を制御し、混合比を補正する。
【０１０２】
これにより、均圧弁２２による、空気供給配管の圧力Ｐａと、ガス供給配管の圧力Ｐｇとを均一の圧力に調整する動作後に、さらに圧力調整を行うことになり、圧力調整自体に、ＷＩの変動分を反映させることができる。
【０１０３】
（変形例２）
【０１０４】
本実施の形態及び変形例１では、燃焼設備１０が均圧弁方式を採用し、均圧弁２２による圧力調整で混合比を調整するようにしたが、均圧弁方式に代えて、カスケード方式を適用してもよい。このカスケード方式では、質量流量の計測によるＷＩ変動分を、直接流量調整に反映させることができる。
【０１０５】
図７は、変形例２に係る燃焼設備１０Ｂの概略構成図である。図１の燃焼設備１０と同一構成部分には、同一の符号を付して、その構成の説明を省略する。
【０１０６】
変形例２に係る燃焼設備１０Ｂでは、燃料ガス供給配管１４に流量調整弁５２が設けられている。
【０１０７】
また、空気供給配管１８には、オリフィス流量計５４が取り付けられ、このオリフィス流量計５４の計測結果を、流量調整弁２６の開度（流量調整）にフィードバックすることで、空気の流量を予め定めた流量に維持するようになっている。
【０１０８】
ここで、一般的なカスケード方式では、燃料ガス供給配管１４にも、オリフィス流量計を取り付けて、流量調整弁５２の開度を調整するが、変形例２のカスケード方式では、オリフィス流量計に代えて、質量流量計３０を取り付けた。
【０１０９】
質量流量計３０で計測した質量流量に基づいて、空気比調整制御部３２では、ＷＩ変動分を反映させた状態で、流量調整弁５２の開度を決め、フィードバック制御する。
【符号の説明】
【０１１０】
１０（１０Ａ、１０Ｂ）    燃焼設備
１２    燃焼器
１４    燃料ガス供給配管（第１配管）
１６    ブロワ
１８    空気供給配管（第２配管）
２０Ａ、２０Ｂ    安全遮断弁
２２    均圧弁（調整部）
２４    燃料ガス側混合比調整弁（第１流量調整弁）
２６    流量調整弁
２８    燃焼用空気側混合比調整弁（第２流量調整弁）
３０    質量流量計（取得部）
３２    空気比調整制御部（補正部）
３４    マイクロコンピュータ
３４Ａ    ＣＰＵ
３４Ｂ    ＲＡＭ
３４Ｃ    ＲＯＭ
３４Ｄ    Ｉ／Ｏ
３４Ｅ    バス
３６    空気体積流量計
３８    流量調整装置
４０    流量調整弁
４２    大規模記憶装置（記憶部）
５０    圧力調整弁（変形例１）
５２    流量調整弁（変形例２）
５４    オリフィス流量計
【図１】
2020143831.tif 000004
【図２】
2020143831.tif 000005
【図３】
2020143831.tif 000006
【図４】
2020143831.tif 000007
【図５】
2020143831.tif 000008
【図６】
2020143831.tif 000009
【図７】
2020143831.tif 000010